(57)【要約】【課題】冷蔵庫の野菜ボックスに少量の食べ物を保存したり、引き出すことを容易にする冷蔵庫用野菜ボックスを提供すること。【解決手段】野菜ボックス３０を構成するボックスボディ３１に柔軟な部材からなる収納ポケット５５が設けられている。ボックスボディ３１には、収納ポケット５５の一側と連結され、収納ポケット５５を支持するように支持台３７を備える。ボックスボディ３１の先端には、収納ポケット５５の一側と連結され、下部に形成されているヒンジ軸４１を中心としてボタン４３の押し動作により、前方に傾いて開閉される前方ドア３９を備える。該支持台３７は、野菜ボックス３１の先端部の上端に左右方向に設けられ、内部には、前記ボタン４３の係合突起４９と係合される係合溝５３を設けて、冷蔵庫用野菜ボックスを構成する。【選択図】      図１
2005009706.tif 000002
【特許請求の範囲】
【請求項１】
内部に保存物の収納される収納空間が設けられているボックスボディと、
前記ボックスボディの先端に、柔軟な部材から形成され、補助収納空間を仕切る収納ポケットと、
前記ボックスボディの前面を形成し、下部のヒンジ軸を中心に回動して前記収納ポケットの収納空間を開閉する前方ドアとを備えることを特徴とする冷蔵庫用野菜ボックス。
【請求項２】
前記収納ポケットの一方側は、前記ボックスボディの上端に設けられている支持台に固定され、他方側は、前記前方ドアに固定されることを特徴とする請求項１に記載の冷蔵庫用野菜ボックス。
【請求項３】
前記収納ポケットは、複数の通気孔を有していることを特徴とする請求項２に記載の冷蔵庫用野菜ボックス。
【請求項４】
前記収納ポケットは、網目で作られていることを特徴とする請求項２に記載の冷蔵庫用野菜ボックス。
【請求項５】
前記前方ドアは、上端部に備えられたボタンで動作する閉め機構により前記支持台に選択的に係合されることを特徴とする請求項１に記載の冷蔵庫用野菜ボックス。
【請求項６】
内部に保存物の収納される収納空間が設けられているボックスボディと、
前記ボックスボディの先端に、前記収納空間とは別に設けられている補助収納空間とを備えることを特徴とする冷蔵庫用野菜ボックス。
【請求項７】
前記補助収納空間の前面には、前方ドアがさらに設けられ、前記前方ドアは、その一端部を中心に回動して前記補助収納空間を開閉することを特徴とする請求項６に記載の冷蔵庫用野菜ボックス。
【請求項８】
前記前方ドアは、閉め機構により前記ボックスボディに選択的に係合されることを特徴とする請求項７に記載の冷蔵庫用野菜ボックス。
【請求項９】
前記補助収納空間は、柔軟な材質の収納ポケットにより仕切られることを特徴とする請求項６に記載の冷蔵庫用野菜ボックス。
【請求項１０】
前記収納ポケットの一方側は、前記ボックスボディの上端に設けられている支持台に固定され、他方側は、前記前方ドアに固定されることを特徴とする請求項９に記載の冷蔵庫用野菜ボックス。
【請求項１１】
前記収納ポケットは、複数の通気孔を有することを特徴とする請求項９または１０に記載の冷蔵庫用野菜ボックス。
【請求項１２】
前記収納ポケットは、網目で作られていることを特徴とする請求項９または１０に記載の冷蔵庫用野菜ボックス。
【発明の詳細な説明】
【０００１】
【発明の属する技術分野】
本発明は、冷蔵庫に関し、より詳しくは、野菜や果物などの食べ物が保存される冷蔵庫の野菜ボックスに関する。
【０００２】
【従来の技術】
図６は、従来の技術による冷蔵庫の野菜ボックスを示す構成図である。図示のように、野菜ボックス２０は、内部に、上部が開放されている収納空間２１が設けられている。このような野菜ボックス２０は、その後面２３が冷蔵室の内部の対応位置の形状に合わせて傾斜して形成され、側面２５と前面２７とは、野菜ボックス２０の底面と垂直に形成されている。野菜ボックス２０の正面上端には、取っ手２９が設けられ、引き出し式引き出しが可能となっている。
【０００３】
このような野菜ボックス２０には、野菜類や果物が保存されるが、可能な限り冷気を生成する蒸発器から遠く離れるように冷蔵庫の下部に位置し、冷気によって野菜や果物が凍らないようにし、かつ、冷蔵室とは別途に仕切られており、冷気が直接触れることを防ぐ一方、冷蔵庫のドアーを開けるときにも、暖かい空気が直接触れないようにして、野菜や果物が、長い間、新鮮に保たれるようにしている。
【０００４】
しかし、このような構成の従来の技術においては、次のような問題点があった。
即ち、従来の技術においては、使用者が野菜ボックス２０に保存された少量の果物や野菜を取り出すか、保存しようとする場合、冷蔵庫のドアーを開け、野菜ボックス２０全体を引き出して保存されている品物を取り出すか、保存し、再び野菜ボックス２０を押し入れなければならない。
【０００５】
従って、野菜ボックス２０内部の保存物が多い場合には、野菜ボックス２０を引き出すのがきつくなり、引き出された野菜ボックス２０の収納空間２１が相対的に暖かい空気に露出されるため、新鮮度を保つことが難しい。また、保存物をさらに低温に冷蔵させるためには、冷蔵庫の駆動を必要とするため、電力消費が増加するという問題があった。
【０００６】
【発明が解決しようとする課題】
本発明は、上記問題点に鑑みなされたものであり、野菜ボックスに少量の食べ物を保存するか、引き出すときに、野菜ボックスの全体を引き出すことなく、容易に保存物を引き出し入れ可能とする冷蔵庫用野菜ボックスを提供することを目的とする。
また、野菜ボックス内部の収納空間を複数に仕切りながらも、仕切られた空間の間での冷気流動が円滑に行われる冷蔵庫用野菜ボックスを提供することを他の目的とする。
【０００７】
【課題を解決するための手段】
上記の目的を達成するために、本発明の実施の形態による冷蔵庫用野菜ボックスにおいては、内部に保存物の収納される収納空間が設けられているボックスボディと、前記ボックスボディの先端に、柔軟な部材から形成され、補助収納空間を仕切る収納ポケットと、前記ボックスボディの前面を形成し、下部のヒンジ軸を中心に回動して、前記収納ポケットの収納空間を開閉する前方ドアとを備えている。
【０００８】
また、本発明の他の実施の形態による冷蔵庫用野菜ボックスにおいては、内部に保存物の収納される収納空間が設けられているボックスボディと、前記ボックスボディの先端に、前記収納空間とは別に設けられている補助収納空間とを備えている。
前記補助収納空間の前面には、前方ドアがさらに設けられ、前記前方ドアは、その一端部を中心に回動して前記補助収納空間を開閉する。
前記前方ドアは、閉め機構により前記ボックスボディに選択的に係合される。
前記補助収納空間は、フレキシブルな材質の収納ポケットにより仕切られる。
【０００９】
前記収納ポケットの一方側は、前記ボックスボディの上端に設けられている支持台に固定され、他方側は、前記前方ドアに固定されている。
前記収納ポケットは、複数の通気孔を有している。
前記収納ポケットは、網目で作られている。
前記前方ドアは、上端部に備えられたボタンで動作する閉め機構により前記支持台に選択的に係合される。
このような構成の本発明の冷蔵庫用野菜ボックスによると、少量の保存物を容易に野菜ボックスに保存し、出し入れが可能であると共に、野菜ボックスの内部全体に冷気供給が円滑に行われる効果がある。
【００１０】
【発明の実施の形態】
以下、本発明の好ましい実施の形態を、添付図面に基づいて詳しく説明する。
図１〜図３は、本発明による野菜ボックスの好ましい実施の形態を示す図であり、図示のように、前記野菜ボックス３０は、ボックスボディ３１で骨格を成しており、前記ボックスボディ３１の内部には、上部の開放された収納空間３２が形成されている。
【００１１】
前記ボックスボディ３１は、設けられる冷蔵室の内部形状に対応する外観を持っている。例えば、ボックスボディ３１の後面３３と対応する冷蔵室の内面が傾斜して形成されると、前記後面３３もやはり対応する傾斜を持って形成される。前記ボックスボディ３１の側面は、一般に、冷蔵室の底と垂直に形成される。
前記側面３５の上部には、前記ボックスボディ３１の先端と隣接した位置に支持台３７が設けられる。前記支持台３７は、前記両側面３５の上端を連結して、ボックスボディ３１の上面からみて、左右に長く設けられている。
【００１２】
前記ボックスボディ３１の前面に、引き出し式に構成された前方ドア３９が形成されている。前記前方ドア３９は、両側下端に、前記側面３５の下端部に設けられたヒンジ孔と係合して回転可能となるヒンジ軸４１を備えており、このような下端部のヒンジ軸４１を中心に回転して野菜ボックス３０の内部を開閉できるようになっている。
前記前方ドア３９の上部には、前方ドア３９の開閉を制御するボタン４３が含まれた閉め機構を備えている。前記前方ドア３９の先端には、野菜ボックス３０の出し入れを容易にするための取っ手４５が付いている。
【００１３】
前記閉め機構は、前記ボタン４３のボディ部４７と、前記ボディ部４７に水平に設けられる係合突起４９と、前記ボタン４３の押し動作の後、元の状態に戻すスプリング５１などから構成される。このような閉め機構は、図２に示す如くである。
また、前記閉め機構により前方ドア３９が閉じられた状態に保持できるように、前記ボタン４３のボディ部４７の係合突起４９の係合される係合溝５３が前記支持台３７に形成される。
【００１４】
前記野菜ボックス３０の先端部には、少量の保存物を収納できる収納ポケット５５を備えている。前記収納ポケット５５により補助収納空間５７が形成される。前記収納ポケット５５は、一方側は前記支持台３７に連結され、他方側は前記前方ドア３９の後面上端に連結されて設けられている。
また、前記収納ポケット５５は、柔軟な材質で射出成型して構成されているため、内部空間５７に保存される内容物によってその外観がある程度自由に変化される。
【００１５】
一方、本発明の他の実施の形態を図４及び図５に示している。本実施の形態においては、上述の実施の形態と比較して、前記収納空間３２と補助収納空間５７との間の空気流動をより円滑にするために、収納ポケット５５に通気孔５９をさらに設けている。
前記通気孔５９は、前記収納ポケット５５に格子状に穿孔形成することができる。このため、収納ポケット５５を柔軟な材質で射出成型して形成している。かつ、前記収納ポケット５５は、網目で作られることも可能である。
【００１６】
以下、以上のような構成となる本発明による冷蔵庫用野菜ボックスの作用について、詳しく説明する。
先ず、少量の食べ物を保存しようとする場合を例示して説明する。使用者は、本発明の野菜ボックス３０が取り付けられた冷蔵庫のドアを開ける。そして、野菜ボックス３０の前方ドア３９に付いた取っ手４５をつかんで前記ボタン４３を押しながら取っ手４５を前方に引っ張る。そうすると、前記野菜ボックス３１の前方ドア３９が前方に傾くことになる。このときの状態を示すと、図３の如くになる。
【００１７】
即ち、前記前方ドア３９の下部のヒンジ軸４１を中心に回転して前方に傾きながら野菜ボックス３０の前方部が開放され、このとき、前記収納ポケット５５の一方側は前記支持台３７に連結されており、他方側は前方ドア３９に連結されているため、前記前方ドア３９によって、前記収納ポケット５５が広がり、収納ポケット５５の補助収納空間５７が開放される。
従って、前記収納ポケット５５に保存物を入れた後、前記前方ドア３９を起こして押すと、前記ボタン４３の係合突起４９が前記支持台３７の下部に擢動しながら前記支持台３７の係合溝５３と係合されて、前方ドア３９が閉められる。
【００１８】
このとき、前記ボタン４３の係合突起４９は、一方側が傾斜して設けられているため、前記前方ドア３９を閉めるときには、ボタン４３を押すことなく、ドア３９を押すことだけで、係合突起４９が擢動しながら前記係合溝４３に係合される。
次に、大量の食べ物を保存する場合の作動を説明すると、野菜ボックス３０を引き出そうとする場合には、前記ボタン４３を押すことなく、そのまま取っ手４５をつかんで前方に引っ張る。このとき、前記ボタン４３の係合突起４９が前記野菜ボックス３０に設けられた支持台３７の係合溝５３と係合されているため、野菜ボックス３０の全体が引き出されるようになる。
【００１９】
このようになると、開口された収納空間３０の上部を通して保存物を出し入れすることが可能となる。このとき、保存物が大量の場合にも、前記収納ポケット５５が柔軟な材質からなっているため、収納ポケット５５の補助収納空間５７の形状に拘らずに保存することが可能である。
一方、前記収納ポケット５５に通気孔５９が形成されている場合には、前記通気孔５９を通して収納空間３２と補助収納空間５７との間の空気流動を行うことができ、野菜ボックス３０の内部全体の温度を適正に保つことが可能となる。
【００２０】
以上説明したように、本発明においては、冷蔵庫用野菜ボックスの前方部に別の収納ポケットを備え、野菜ボックスの前方に前方ドアを備えることを基本的な技術思想としていることが分かる。さらに、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【００２１】
例えば、前記実施の形態では、前記ドアのボタン４３をドアの上部に備え、前記ボタン４３を押すことにより、ドア３９が開かれるように構成されているが、前記取っ手部に前記実施の形態と類似な係合突起などを連結して設けて、前記取っ手部を前方に引っ張るか、上下方向に動かすことにより、前方ドア３９を開閉できるように構成しても良い。
また、前記実施の形態では、前記収納ポケット５５の一方側を前記前方ドア３９の後面上端に連結して構成されているが、前方ドア３９の下端またはボックスボディ３０の下端面に連結されるように設けて、収納空間を仕切るように変更して構成しても良い。
【００２２】
【発明の効果】
以上のように、本発明の冷蔵庫用野菜ボックスよると、別の収納ポケットと前方ドアとを備えているため、少量の食べ物を保存しようとする場合には、野菜ボックスの全体を引き出すことなく、ボタンの押し動作により前方ドアのみを開放して使用することができる。従って、大きな力を要せずに、必要な食べ物を簡単に保存するか、取り出すことが可能となり、使用上の便利さがある。
【００２３】
また、前記収納ポケットの内部の食べ物を取り出すときには、前記野菜ボックス全体を引き出す必要がなくなり、外部空気が収納ポケットの後方の保存物には直接触れないようになる。従って、外部空気との接触により食べ物の新鮮度が低下する恐れが少なくなり、低温状態に保つことが可能となり、結果的に、野菜ボックスの内部の保存物が外部空気に露出されて、高くなった内部温度をさらに低温にするための冷蔵庫の駆動に必要な消費電力を低減できるという効果が期待される。
【００２４】
さらに、収納ポケットに通気孔を形成することにより、収納ポケットの内部に形成される補助収納空間と野菜ボックスの収納空間との間の空気流動が円滑に行われ、野菜ボックスの内部全体を均一な温度に保つことができる。
【図面の簡単な説明】
【図１】本発明による冷蔵庫用野菜ボックスの好ましい実施の形態の構成を示す斜視図である。
【図２】図１の実施の形態の要部構成を示す部分断面図である。
【図３】本発明の実施の形態を構成する野菜ボックスの前方ドアが開いた状態を示す動作状態図である。
【図４】本発明の他の実施の形態の構成を示す斜視図である。
【図５】本発明の他の実施の形態の要部構成を示す部分断面図である。
【図６】従来の技術による冷蔵庫用野菜ボックスを示す斜視図である。
【符号の説明】
３０…野菜ボックス
３１…ボックスボディ
３２…収納空間
３７…支持台
３９…前方ドア
４３…ボタン
４５…取っ手
４９…係合突起
５１…スプリング
５３…係合溝
５５…収納ポケット
５７…補助収納空間
【図１】
2005009706.tif 000003
【図２】
2005009706.tif 000004
【図３】
2005009706.tif 000005
【図４】
2005009706.tif 000006
【図５】
2005009706.tif 000007
【図６】
2005009706.tif 000008